(57)【要約】      （修正有）【課題】コネクタの周囲のスペースが狭い場合やコネクタが並接して配置されている場合であっても機器に取り付けることができ、プラグの抜けを防止することができるプラグ抜け防止装置を提供する。【解決手段】プラグ抜け防止装置はプラグＰの背面に係合させる係合板１と、機器の壁面に固定する固定部材２と、該固定部材２と上記係合板１とを連結する連結部材３とを備え、上記係合板１の中央にはケーブルを挿通することができる大きさの開口部４を係合板１の外部に連通させるとともに、両側部には上記連結部材３を挿通させる挿通口６を形成し、上記固定部材２には上記連結部材３の一端を取り付け、機器の壁面に当接させる面には固定部材２を機器の壁面に固定する接着部材８を設けた。【選択図】図２
0003144643.tif 000002
【実用新案登録請求の範囲】
【請求項１】
機器のコネクタに差し込んだプラグが抜けないようにする、以下の要件を備えることを特徴とするプラグ抜け防止装置。
（イ）上記プラグ抜け防止装置はプラグの背面に係合させる係合板と、機器の壁面に固定する固定部材と、該固定部材と上記係合板とを連結する連結部材とを備えること
（ロ）上記係合板の中央にはプラグのケーブルを挿通することができる大きさの開口部が形成され、該開口部は係合板の外側に連通していること
（ハ）上記係合板には両端に上記連結部材を係合させる係合穴が形成されていること
（二）上記固定部材には上記連結部材の一端が取り付けられ、機器の壁面に当接させる面には固定部材を機器の壁面に固定する接着部材を設けたこと
【請求項２】
前記接着部材を両面接着テープで構成し、前記連結部材を面ファスナーで構成した、請求項１記載のプラグ抜け防止装置。
【考案の詳細な説明】
【技術分野】
【０００１】
本考案は、プラグ抜け防止装置、詳しくは信号ケーブルのプラグがコネクタから抜けないようにするプラグ抜け防止装置に関するものである。
【背景技術】
【０００２】
従来、機器のコネクタに差し込んだプラグが抜けないようにする様々なプラグ抜け防止装置が提案され、本出願人からも提案されている（例えば、特許文献１）。
【０００３】
このプラグ抜け防止装置は、工具を必要とせず簡単にプラグを機器に固定することができるようにしたもので、プラグの基部に係合させる係合板の両側部に帯状の面ファスナーの一端を取り付け、機器の上下面又は両側面には上記係合板に取り付けた面ファスナーと係止し合う面ファスナーを貼着し、プラグの基部を係合板に係合させ面ファスナーを機器に貼着した面ファスナーに押し付けることにより簡単にプラグの抜け防止をセットすることができるようにしたものである。
【特許文献１】特開２００４−２５３１６４号公報
【考案の開示】
【考案が解決しようとする課題】
【０００４】
本考案が解決しようとする問題点は、電源のプラグのような場合は、プラグを差し込むソケットの近傍には面ファスナーを貼着するスペースを取ることができるが、信号ケーブルの小さなプラグ（例えば、ＵＳＢケーブル）の場合は、複数のコネクタが併設されている場合があり、機器に面ファスナーを貼着するスペースが取れない問題があった。
【０００５】
本考案は、上記問題点を解決し、コネクタの周囲のスペースが狭い場合やコネクタが並接して配置されている場合であっても機器に取り付けることができ、プラグの抜けを防止することができるプラグ抜け防止装置を提供することを課題とする。
【課題を解決するための手段】
【０００６】
前記課題を解決するために本考案に係るプラグ抜け防止装置は、機器のプラグソケットに差し込んだプラグが抜けないようにする、以下の要件を備えることを特徴とする。
（イ）上記プラグ抜け防止装置はプラグの背面に係合させる係合板と、機器の壁面に固定する固定部材と、該固定部材と上記係合板とを連結する連結部材とを備えること
（ロ）上記係合板の中央にはプラグのケーブルを挿通することができる大きさの開口部が形成され、該開口部は係合板の外側に連通していること
（ハ）上記係合板には両端に上記連結部材を係合させる係合穴が形成されていること
（二）上記固定部材には上記連結部材の一端が取り付けられ、機器の壁面に当接させる面には固定部材を機器の壁面に固定する接着部材を設けたこと
【０００７】
なお、前記接着部材を両面接着テープで構成し、前記連結部材を面ファスナーで構成することが好ましい。
【考案の効果】
【０００８】
本考案によれば、コネクタの周囲のスペースが小さい場合であっても、機器に簡単に取り付けることができ、プラグを機器に固定することができるプラグ抜け防止装置を提供することができる。
【考案を実施するための最良の形態】
【０００９】
図１は本考案に係るプラグ抜け防止装置の一例を示し、このプラグ抜け防止装置Ａは、プラグの背面に係合させる係合板１と、機器の壁面に固定する固定部材２と、係合板１と固定部材２とを連結する連結部材３とで構成されている。
【００１０】
係合板１は樹脂で略方形状に形成された板部材で、この係合板１の中央にはプラグのケーブルの太さよりもやや大きな円形の開口部４が形成され、この開口部４は係合板１の外部に連通するスリット５が形成され、このスリット５を介してプラグのケーブルを開口部４に案内することができるようになっている。さらに、スリット５と並行する係合板１の両端部にはそれぞれ連結部材３を挿通させる挿通口６が形成されている。この挿通口６は連結部材３の幅よりもやや広く、連結部材３の厚さよりもやや広い長孔で構成されていればよい。
【００１１】
固定部材２は樹脂で連結部材３の一端を取り付けることができるように、上記係合板１の挿通口６と略同じ大きさの取り付け孔７が形成され、連結部材３は一端を取り付け孔７に差し込んで折り返し、接着剤や縫製など適宜手段で接着することにより固定部材２に取り付けられている。そして、固定部材２の一方の面には固定部材２を機器の壁面に固定する接着部材８が取り付けてある。この接着部材８は接着力の強い両面接着テープ（例えば、住友スリーエム(株)の両面テープＹ−４９５０）で構成されていればよい。
【００１２】
そして、連結部材３はフックとループとが同一面に形成された帯状の面ファスナーで構成されていればよい。なお、上記接着部材８は連結部材３である面ファスナーのフックとループとが形成された面（以下、表側面３ａという）と同一面にならないように固定部材２に取り付けてあればよい。
【００１３】
上記構成のプラグ抜け防止装置Ａを使用するに当たっては、先ず固定部材２を接着部材８を介して機器の壁面に固定する。この際、図２（ａ）に示すように、連結部材（以下、面ファスナーという）３の表側面３ａが外側を向く（裏側面３ｂがプラグＰに対面する）ように固定すればよい。
【００１４】
次に、係合板１をプラグＰの背面に係合させる。この時、スリット５からプラグＰのケーブルを開口部４に案内し、プラグＰの背面に係合板１を当接させた後（図２（ｂ）参照）、図３（ａ）に示すように、面ファスナー３の先端を挿通口６に挿通し、図３（ｂ）に示すように、折り返して面ファスナー３の表側面３ａ同士を係合させれば面ファスナー３を固定することができる。同様に、もう一方の面ファスナー３をもう一方の挿通口６から挿通し、外側に折り返して面ファスナー３の表側面３ａ同士を係合させれば面ファスナー３を固定することができるので、面ファスナー３で固定部材２と係合板１とを連結することができ、プラグＰを機器に固定することができる。
【００１５】
図４（ａ）は、係合板１の他の例を示し、この係合板１は２つのプラグＰを固定する場合に使用するもので、この係合板１に形成された開口部４は略８の字状で２つのプラグＰが上下に並接した状態で係合させることができるようにしたもので、この開口部４に連通するスリット５を介してプラグＰのケーブルを順次開口部４に案内し、案内後プラグＰの背面に係合板１を当接させればよい（図４（ｂ）参照）。
【００１６】
このようにして係合板１を係合させた２つのプラグを機器のコンセントに差し込み、図５（ａ）に示すように、２つの面ファスナー３の先端をそれぞれ挿通口６に挿通し、折り返して面ファスナー３の表側面３ａ同士を係合させ、余長はハサミで切断すれば、図５（ｂ）に示すように、面ファスナー３で固定部材２と係合板１とを連結することができ、プラグＰを機器に固定することができる。
【００１７】
なお、係合板１の形状はプラグに対応する開口部４とこの開口部４を外部に開放するスリット５と面ファスナー３を挿通させる２つの挿通口６とがあれば、上述の係合板の形状に限定されるものではない。例えば、図６に示すように、挿通口６の部分の幅は同じにしてプラグのケーブルを収容する開口部４の部分の幅を狭くしてＩＥＥＥ１３９４仕様のプラグに対応できるようにしてもよい。
【００１８】
図７（ａ）（ｂ）は固定部材２の他の例の表面側斜視図及び裏面側斜視図を示し、この固定部材２は側面視略Ｌ字状に形成され、垂直部２ｂを機器の壁面に当接させるように構成したもので、水平部２ａには面ファスナー３を取り付けるための取り付け孔７が形成され、垂直部２ｂの機器の壁面に当接する面には上述した接着部材８である両面テープが貼り付けてある。
【００１９】
この固定部材２で構成されたプラグ抜け防止装置を使用する場合は、図８（ａ）に示すように、面ファスナー３の係合面３ａがそれぞれプラグＰに対向しないようにしてコンセントＣの上下の壁面に押し付けて接着部材８を介して機器に固定部材２を固定する。
【００２０】
次に、コンセントＣに差し込んだプラグＰに係合板１を係合させ（図８（ｂ）参照）、２つの面ファスナー３の先端をそれぞれ挿通口６に挿通し、折り返して面ファスナー３の表側面３ａ同士を係合させ、余長はハサミで切断すれば、図８（ｃ）に示すように、面ファスナー３で固定部材２と係合板１とを連結することができ、プラグＰを機器に固定することができる。
【００２１】
上述したように、コンセントの周囲に固定部材を固定するスペースがあれば、容易にプラグを固定することができ、様々な機器の信号ケーブルのコネクタに対応するプラグ抜け防止装置を提供することができる。
【図面の簡単な説明】
【００２２】
【図１】本考案に係るプラグ抜け防止装置の構成を説明する斜視図
【図２】（ａ）（ｂ）は上記プラグ抜け防止装置の取り付け過程の説明図
【図３】（ａ）（ｂ）は上記プラグ抜け防止装置の取り付け過程の説明図
【図４】（ａ）（ｂ）は他の例の係合板の使用状態の説明図
【図５】（ａ）（ｂ）は上記他の例の係合板を使用してプラグを機器に固定する説明図
【図６】さらに他の例の係合板を説明する斜視図
【図７】（ａ）（ｂ）は他の例の固定部材を説明する表面側及び裏面側斜視図
【図８】（ａ）〜（ｃ）は上記他の例の固定部材を使用してプラグを機器に固定する過程の説明視図
【符号の説明】
【００２３】
１    係合板
２    固定部材
３    連結部材（面ファスナー）
４    開口部
５    スリット
６    挿通口
７    取り付け孔
８    接着部材（両面接着テープ）
Ａ    プラグ抜け防止装置
Ｐ    プラグ
【図１】
0003144643.tif 000003
【図２】
0003144643.tif 000004
【図３】
0003144643.tif 000005
【図４】
0003144643.tif 000006
【図５】
0003144643.tif 000007
【図６】
0003144643.tif 000008
【図７】
0003144643.tif 000009
【図８】
0003144643.tif 000010